(57)【要約】【課題】改質する前の原水と改質した後の水を客観的に簡単に比較することができ、需要者の購買意欲を喚起させることができるようにした水改質器を使用した展示用の装置等を提供する。【解決手段】水改質器の展示用装置Ａは、シンク２を備えた台部１と、外部から見ることができるように設けられている水改質器Ｂと、水改質器Ｂで改質する前の原水を給水する一次蛇口３ａと、原水を水改質器Ｂで改質した後の水を給水する二次蛇口３ｂと、シンク２の上方に設けてあり、水改質器Ｂに関連した画像を表示するディスプレー６１と、台部１、水改質器Ｂ、各蛇口３ａ，３ｂ及びディスプレー６１が設けられるケース１００とを備えている。【選択図】      図１
2004334828.tif 000002
【特許請求の範囲】
【請求項１】
水改質器で改質する前の原水を供給する原水供給部と、
上記原水を水改質器で改質した後の改質水を供給する改質水供給部と、
水改質器に関連した画像を表示する画像表示装置と、
上記原水供給部、改質水供給部及び画像表示装置が設けられるケースと、
を備えていることを特徴とする、
水改質器を使用した展示用装置。
【請求項２】
シンクを備えた台部と、
外部から見ることができるように設けられている水改質器と、
水改質器で改質する前の原水を供給する原水供給部と、
上記原水を水改質器で改質した後の改質水を供給する改質水供給部と、
シンクの上方に設けてあり、水改質器に関連した画像を表示する画像表示装置と、
上記台部、水改質器、原水供給部、改質水供給部及び画像表示装置が設けられるケースと、
を備えていることを特徴とする、
水改質器を使用した展示用装置。
【請求項３】
水改質器は、水改質材としてマグネシウムを備えていることを特徴とする、
請求項１または２記載の水改質器を使用した展示用装置。
【請求項４】
水改質器は、水改質器の内部構造の一部または全部を外部から目視できるように構成されていることを特徴とする、
請求項１，２または３記載の水改質器を使用した展示用装置。
【請求項５】
給水により水が装置前方に飛び散ることを防止するための開閉式のカバー備えていることを特徴とする、
請求項１，２，３または４記載の水改質器の展示用装置。
【請求項６】
水改質器で改質する前の原水を供給する原水供給部と、
上記原水を水改質器で改質した後の改質水を供給する改質水供給部と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から給水する給水制御手段と、
上記原水供給部、改質水供給部、投入口、投入検知手段及び給水制御手段が設けられるケースと、
を備えていることを特徴とする、
水改質器を使用した水の自動販売用装置。
【請求項７】
水改質器で改質する前の原水を供給する原水供給部と、
上記原水を水改質器で改質した後の改質水を供給する改質水供給部と、
水改質器に関連した画像を表示する画像表示装置と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から供給する給水制御手段と、
上記原水供給部、改質水供給部、投入口、投入検知手段及び給水制御手段が設けられるケースと、
を備えていることを特徴とする、
水改質器を使用した水の自動販売用装置。
【請求項８】
シンクを備えた台部と、
外部から見ることができるように設けられている水改質器と、
水改質器で改質する前の原水を供給する原水供給部と、
上記原水を水改質器で改質した後の改質水を供給する改質水供給部と、
シンクの上方に設けてあり、水改質器に関連した画像を表示する画像表示装置と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から給水する給水制御手段と、
上記原水供給部、改質水供給部、投入口、投入検知手段及び給水制御手段が設けられるケースと、
を備えていることを特徴とする、
水改質器を使用した水の自動販売用装置。
【請求項９】
水改質器は、水改質材としてマグネシウムを備えていることを特徴とする、
請求項７または８記載の水改質器を使用した水の自動販売用装置。
【請求項１０】
水改質器は、水改質器の内部構造の一部または全部を外部から目視できるように構成されていることを特徴とする、
請求項７，８または９記載の水改質器を使用した水の自動販売用装置。
【請求項１１】
給水により水が装置前方に飛び散ることを防止するための開閉式のカバーを備えていることを特徴とする
請求項７，８，９または１０記載の水改質器を使用した水の自動販売用装置。
【請求項１２】
画像表示装置で水改質器に関連した画像を表示し、展示された水改質器で改質する前の原水と改質した後の水を供給手段から提供することを特徴とする、
水改質器の展示方法。
【発明の詳細な説明】
【０００１】
【発明の属する技術分野】
本発明は、水改質器を使用した展示用または水の自動販売用の装置、及び水改質器の展示方法に関する。
更に詳しくは、改質する前の原水と改質した後の改質水を客観的に簡単に比較できるようにして、需要者の水改質器に対する購買意欲を喚起させることができるようにしたものに関する。
また、水改質器で改質した水を無人で販売することができるようにしたものに関する。
【０００２】
【従来技術】
近年、都市部を中心として、飲み水に対する需要者の意識は高まってきており、それに伴い様々な種類の浄水器や活水器が販売されている。
【０００３】
従来、浄水器等の水改質器の販売方法は、専ら製品を展示即売会会場や電化製品販売店などに展示し、それを販売員が口頭で説明したり、製品のパンフレットを配布するだけに過ぎなかった。
【０００４】
即ち、水改質器によってどのように水が良好に改質されたかを、実際に試飲して確認することができなかった。よって、製品の善し悪しを見極めることができず、ブランド力に頼るか、販売員やパンフレットの説明を信ずる他なかった。
【０００５】
一方、例えば特許文献１には、水の自動販売機が提案されている。これによれば、内部に収容された水改質器によって水を改質し、これを無人で販売することができる。このような装置を用いれば、水改質器で改質された水を飲むことはできる。
【０００６】
【特許文献１】
特開平８−１０６５７２号公報
【０００７】
【発明が解決しようとする課題】
しかしながら、特許文献１に記載の水の自動販売機は、水改質器の展示販売用として開発されたものではない。このため、改質される前の水と比較して、本当に水が改質されたのかを、客観的に判断することができなかった。よって、製品が持つ優位性を需要者に十分に認識させることは困難で、需要者の水改質器に対する購買意欲の喚起には繋がりにくかった。
【０００８】
更に、上記した水の自動販売機のように、水改質器が装置内部に収容された状態では、製品自体を外部から確認することができない。このため、本当にその水改質器によって水が改質されているのかが、需要者に伝わりにくいという欠点もあった。
【０００９】
（発明の目的）
そこで本発明の目的は、改質する前の原水と改質した後の改質水を客観的に簡単に比較できるようにして、需要者の水改質器に対する購買意欲を喚起させることができるようにすることにある。
【００１０】
本発明の他の目的は、実際にその水改質器によって水が改質されていることを需要者に十分に認識させ、需要者の購買意欲を一層喚起させることができるようにすることにある。
【００１１】
本発明の他の目的は、例えば展示即売会会場への運搬と設置、倉庫等への保管やその他の取扱いを容易にできるようにすることにある。
【００１２】
本発明の他の目的は、遠くからでも需要者の関心を引きつけやすく、結果的に水改質器の販売促進が期待でき、更に例えば展示即売会会場での設置の際に水で床を濡らすことを防止できるようにすることにある。
【００１３】
本発明の他の目的は、電気分解を利用せずに、アルカリイオン水を簡単に生成して需要者に提供することができるようにすることにある。
【００１４】
本発明の他の目的は、水改質器内に流れる水の量や流速を目視で確認できるようにして、その水改質器に供給される水の量や流速を最も適した状態に調整することができるようにすることにある。
【００１５】
本発明の他の目的は、水改質器で改質した水を無人で販売することができるようにすることにある。
【００１６】
本発明の他の目的は、水を勢い良く給水させた場合でも、水で服や床を濡らすことを防止できるようにすることにある。
【００１７】
【課題を解決するための手段】
上記目的を達成するために講じた本発明の手段は次のとおりである。
第１の発明にあっては、
水改質器で改質する前の原水を供給する原水供給部と、
上記原水を水改質器で改質した後の改質水を供給する改質水供給部と、
水改質器に関連した画像を表示する画像表示装置と、
上記原水供給部、改質水供給部及び画像表示装置が設けられるケースと、
を備えていることを特徴とする、
水改質器を使用した展示用装置である。
【００１８】
第２の発明にあっては、
シンクを備えた台部と、
外部から見ることができるように設けられている水改質器と、
水改質器で改質する前の原水を供給する原水供給部と、
上記原水を水改質器で改質した後の改質水を供給する改質水供給部と、
シンクの上方に設けてあり、水改質器に関連した画像を表示する画像表示装置と、
上記台部、水改質器、原水供給部、改質水供給部及び画像表示装置が設けられるケースと、
を備えていることを特徴とする、
水改質器を使用した展示用装置である。
【００１９】
第３の発明にあっては、
水改質器は、水改質材としてマグネシウムを備えていることを特徴とする、
第１または第２の発明に係る水改質器を使用した展示用装置である。
【００２０】
第４の発明にあっては、
水改質器は、水改質器の内部構造の一部または全部を外部から目視できるように構成されていることを特徴とする、
第１，２または第３の発明に係る水改質器を使用した展示用装置である。
【００２１】
第５の発明にあっては、
給水により水が装置前方に飛び散ることを防止するための開閉式のカバー備えていることを特徴とする、
第１，２，３または第４の発明に係る水改質器の展示用装置である。
【００２２】
第６の発明にあっては、
水改質器で改質する前の原水を供給する原水供給部と、
上記原水を水改質器で改質した後の改質水を供給する改質水供給部と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から給水する給水制御手段と、
上記原水供給部、改質水供給部、投入口、投入検知手段及び給水制御手段が設けられるケースと、
を備えていることを特徴とする、
水改質器を使用した水の自動販売用装置である。
【００２３】
第７の発明にあっては、
水改質器で改質する前の原水を供給する原水供給部と、
上記原水を水改質器で改質した後の改質水を供給する改質水供給部と、
水改質器に関連した画像を表示する画像表示装置と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から供給する給水制御手段と、
上記原水供給部、改質水供給部、投入口、投入検知手段及び給水制御手段が設けられるケースと、
を備えていることを特徴とする、
水改質器を使用した水の自動販売用装置である。
【００２４】
第８の発明にあっては、
シンクを備えた台部と、
外部から見ることができるように設けられている水改質器と、
水改質器で改質する前の原水を供給する原水供給部と、
上記原水を水改質器で改質した後の改質水を供給する改質水供給部と、
シンクの上方に設けてあり、水改質器に関連した画像を表示する画像表示装置と、
解放用投入物を投入する投入口と、
解放用投入物が投入されたことを検知する投入検知手段と、
該投入検知手段が検知した信号を受け、予め定められた量または予め定められた時間当たりの量の改質水を改質水供給部から給水する給水制御手段と、
上記原水供給部、改質水供給部、投入口、投入検知手段及び給水制御手段が設けられるケースと、
を備えていることを特徴とする、
水改質器を使用した水の自動販売用装置である。
【００２５】
第９の発明にあっては、
水改質器は、水改質材としてマグネシウムを備えていることを特徴とする、
第７または第８の発明に係る水改質器を使用した水の自動販売用装置である。
【００２６】
第１０の発明にあっては、
水改質器は、水改質器の内部構造の一部または全部を外部から目視できるように構成されていることを特徴とする、
第７，８または第９の発明に係る水の自動販売用装置である。
【００２７】
第１１の発明にあっては、
給水により水が装置前方に飛び散ることを防止するための開閉式のカバーを備えていることを特徴とする
第７，８，９または第１０の発明に係る水改質器を使用した水の自動販売用装置である。
【００２８】
第１２の発明にあっては、
画像表示装置で水改質器に関連した画像を表示し、展示された水改質器で改質する前の原水と改質した後の水を供給手段から提供することを特徴とする、
水改質器の展示方法である。
【００２９】
本明細書で「外部から見ることができるように設けられている水改質器」とは、水改質器を覆うものがないものや、覆ったものが透明または半透明、あるいは透明部分または半透明部分を有するものであって外部から見ることができるようにしたもの、あるいは扉等を開けて見ることができるようにしたもの等も含む広い概念として使用している。
【００３０】
水改質器としては、水改質材を備えたものを挙げることができる。水改質材としては、マグネシウムの他に、例えばカルシウム・鉄・亜鉛・コバルト・マンガンやその他のミネラル、石灰石、ドロマイト、大理石、コーラルサンド、貝がら、骨、麦飯石、太陽石、祖陽石、セラミックス、炭（活性炭、備長炭、ヤシガラ炭、竹炭等）、濾過膜（中空糸膜、逆浸透膜、平膜）、イオン交換樹脂、イオン交換繊維等を挙げることができるが、特にこれらに限定するものではない。
【００３１】
水改質材は特に限定するものではないが、水流により浮遊・遊動することができるような流動性固体が好ましい。水流により流動性固体が浮遊・遊動することで、水と水改質材との接触面積、時間を増大させ、効率的に水の改質を行うことができる。
水改質材の形状は、例えば粒状または／及び粉末状のもの、カールしたチップまたは細長状（リボン状）のもの、あるいは形状が一定しない各種異形状のもの等を挙げることができるが、特にこれらに限定されない。
【００３２】
画像表示装置としては、例えば、家庭用のテレビ、ＣＲＴ（ｃａｔｈｏｄｅ−ｒａｙ  ｔｕｂｅ）、ＬＣＤ（ｌｉｑｕｉｄ  ｃｒｙｓｔａｌ  ｄｉｓｐｌａｙ）、プラズマディスプレイなどが使用されるが、これらに限定するものではない。画像表示装置で表示される画像は、動画でもよいし静止画あるいは静止画のスライドであってもよい。
【００３３】
本明細書にいう「水改質に関連した画像」の用語は、全編に切れ間なく関連した画像が含まれているものに限定するものではなく、一部に関連しない画像が含まれているものも含む広い概念として使用している。
【００３４】
画像表示装置で表示される画像としては、例えばディジタルビデオディスク（ｄｉｇｉｔａｌ  ｖｉｄｅｏ  ｄｉｓｋ、ＤＶＤ）の他、レーザーディスク（登録商標）（ｌａｓｅｒ  ｄｉｓｋ、ＬＤ）、（ｖｉｄｅｏｈｉｇｈ−ｄｅｎｓｉｔｙ  ｄｉｓｋ、ＶＨＤ）、ハードディスクビデオレコーダ（Ｐｅｒｓｏｎａｌ  Ｖｉｄｅｏ  Ｒｅｃｏｒｄｅｒ）などの各種ビデオディスク、アナログ式またはディジタル式のビデオテープなどに録画したもの、あるいはコンピュータネットワークから送られる画像等を挙げることができるが、特にこれらに限定されない。
【００３５】
コンピュータネットワークとしては、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、商用のパソコン通信回線網、その他有線無線の通信回線網などが挙げられるが、これらに限定されない。
【００３６】
本明細書にいう「解放用投入物」は、給水制御手段による制御を解放して改質水を給水させるための投入物であり、例えば硬貨（コイン）や紙幣等の金銭の他、代用硬貨（無料配布等により得た試飲用のメダルや、料金を支払うことで提供されるメダル等）、補助紙幣、クレジットカード、プリペイドカード、ポイントカード、空き缶等を含む広い概念として使用している。
【００３７】
（作  用）
本発明に係る水改質器の展示用装置は、次のように作用する。
まず、水改質器の展示用装置を例えば展示即売会会場や電化製品販売店などに設置する。そして、画像表示装置に展示対象である水改質器に関連した画像を表示する。その画像とは、改質された水の効能や水改質器の構造・性能など、需要者の水改質器に対する購買意欲を喚起させることができるような内容が望ましい。
【００３８】
そして、画像表示装置に表示された内容を見て、製品に関心を持った需要者に、蛇口等の給水部（原水供給部と改質水供給部）から水改質器で改質する前の原水と改質した後の改質水の両方の水を提供することができる。この両方の水を需要者に試飲してもらうことで、どのように水が良好に改質されたかを直に体験してもらうことができる。
【００３９】
また、例えば改質した後の改質水がアルカリイオン水であれば、リトマス試験紙や酸化還元電位測定器等を用いることで、改質される前後の改質水を目視によって客観的に比較することができる。
【００４０】
このように、本発明によれば、改質する前の原水と改質した後の改質水を客観的に簡単に比較することができ、需要者の水改質器に対する購買意欲を喚起させることができる。
【００４１】
外部から見ることができるように水改質器が設けられているものは、水改質器を外部から見ることができない場合と比べて、実際にその水改質器によって水が改質されていることを需要者に十分に認識させることができる。したがって、水改質器の特長を需要者に十分に理解させ、購買意欲を一層喚起させることができる。
【００４２】
また原水供給部、改質水供給部及び画像表示装置、あるいは台部、水改質器、原水供給部、改質水供給部及び画像表示装置がケースに設けられているので、例えば展示即売会会場への運搬と設置、倉庫等への保管やその他の取扱いが容易である。
【００４３】
画像表示装置がシンクの上方に設けてあるものは、画像表示装置を目線の高さ近くに設けることで、遠くからでも需要者の関心を引きつけやすく、結果的に水改質器の販売促進が期待できる。またシンクを備えていることで、例えば展示即売会会場での設置の際に、水で床を濡らす恐れもない。
【００４４】
水改質器が、水改質材としてマグネシウムを備えているものでは、水と接触させることにより、下記化学式１に示すように、マグネシウムが水と反応し、水酸化マグネシウムと水素が生成される。これにより、電気分解を利用せずに、電解水製造装置と同等の酸化還元電位やｐＨを有するアルカリイオン水を生成することができる。
【００４５】
【化１】
2004334828.tif 000003
【００４６】
水改質器がその内部構造の一部または全部を外部から目視できるように構成されているものでは、水改質器内に流れる水の量や流速を目視で確認できるようにすれば、その水改質器に供給される水の量や流速を最も適した状態に調整することができる。したがって、使用している水改質器の効果を最大限、有効に発揮させることができる。
また画像表示装置が設けてあるものでは、例えば水改質器の内部構造についての説明を画像表示装置で流しておけば、需要者はその説明を聞きながら、直接目でその現物の内部構造を確認することができる。したがって、需要者は、水がどのようにして改質されるかが理解しやすく、その商品の原理について不安を覚えることなく、安心して購入しやすい。
【００４７】
本発明に係る水改質器を使用した水の自動販売用装置は、解放用投入物を投入する投入口を備えており、その投入口に解放用投入物を投入することにより、予め定められた量または予め定められた時間当たりの量の改質水を改質水供給部から供給することができる。
【００４８】
更に本発明に係る水改質器を使用した水の自動販売用装置によれば、無人で改質水を自動販売することができる。
【００４９】
給水により水が装置前方に飛び散ることを防止するための開閉式のカバーを備えているものは、水を勢い良く給水させたとしても、水が装置前方に飛び散ることはないので、服や床を水で濡らすことを防止できる。
【００５０】
【発明の実施の形態】
本発明を図面に示した実施の形態に基づき更に詳細に説明する。
［実施の形態１］
図１は本発明に係る水改質器の展示用装置の一実施の形態を示す正面視説明図、
図２は図１のＩ−Ｉ部分に対応する断面を示す概略説明図、
図３は一次キャビネットの前面パネルを取り外して、ディスプレーとＤＶＤ再生装置が見えるようにした水改質器の展示用装置の正面視説明図、
図４は水改質器の展示用装置の背面視説明図を示している。
なお、説明の都合上、図２では、シンクと排水管の上部も断面して図示している。
【００５１】
図１に示す水改質器の展示用装置Ａは、例えば展示即売会会場や電化製品販売店などに設置され、水改質器Ｂの販売促進用として使用される。
【００５２】
本実施の形態では、展示対象である水改質器として、アルカリイオン水を生成することができる水改質器Ｂ（アルカリイオン水生成器）を例に挙げて説明する。そして、原水である公営の水道水からアルカリイオン水を生成した場合を例に挙げて、水改質器の展示用装置Ａを説明する。
【００５３】
以下、水改質器の展示用装置Ａの各構成部材について、順を追って詳しく説明する。
図１及び図２に示すように、水改質器の展示用装置Ａは、台部１上に設置されたシンク２（水槽）を備えている。符号２１は、シンク２の底部に接続された排水管を示している。本実施の形態では、台部１及びシンク２はステンレス製である。
なお、台部１は、後述する一次キャビネット６、二次キャビネット７、右側面板５ａ、左側面板５ｂ、背面板５ｃと共に、ケース１００を構成する。
【００５４】
シンク２上には、原水供給部である一次蛇口３ａ及び改質水供給部である二次蛇口３ｂが設けられている。図１で正面から見て左側には、水道水が出る一次蛇口３ａが設けてあり、右側には水改質器Ｂによって改質されたアルカリイオン水が出る二次蛇口３ｂが設けてある。各蛇口３ａ，３ｂの上には、どちらの水が出るのかが一目で分かるように、給水内容を表したステッカー４，４が貼られている。
【００５５】
台部１の両側面部側と背面部側からは、フレーム板である右側面板５ａ、左側面板５ｂ、背面板５ｃが立ち上げて設けられている。台部１の上方には、各フレーム板５ａ，５ｂ，５ｃによって支持された一次キャビネット６が設けられている。本実施の形態では、各フレーム板５ａ，５ｂ，５ｃはステンレス製である。
【００５６】
図２及び図３に示すように、一次キャビネット６の下段部には、画像表示装置であるディスプレー６１が収容されている。一次キャビネット６の上段部には、ＤＶＤ再生装置６２が収容されている。ＤＶＤ再生装置６２で再生された画像は、ディスプレー画面６３２に表示される。具体的には、水改質器Ｂに関連した画像が表示される。
【００５７】
図２に示すように、一次キャビネット６の上方は、ＤＶＤ再生装置６２をリモコン（リモートコントロール）で離れた場所から操作できるように開口部６４となっている。
【００５８】
図４に示すように、一次キャビネット６の背面側には、ディスプレー６１及びＤＶＤ再生装置６２の電源を得るための電源コード５１が背面板５ｃから外へ延びている。
【００５９】
図２に示すように、一次キャビネット６の前面側は、ステンレス製の前面パネル６３が固定されている。前面パネル６３は所要数の締付ネジ６３１で固定されている。締付ネジ６３１の固定を解除すると、図３に示すように、前面パネル６３を取り外すことができる。
【００６０】
図１で符号６３０は、開口部で構成されたディスプレー画面６３２用の窓を示している。符号６３３は、ディスプレー６１のスピーカー６１１（図３参照）から発せられる音が良く聞こえるようにした所要数の孔を示している。
【００６１】
図１に示すシンク２の下方、つまり台部１の内部には、二次キャビネット７が設けられている。二次キャビネット７には、水改質器Ｂが設けてある。水改質器Ｂは、上記したように例えば水道水のような水をアルカリイオン水に改質するための水改質器である。水改質器Ｂの詳細な構造については、後述する。
【００６２】
二次キャビネット７の正面側には、透明性を有する正面板７１が所要数の締付ネジ６３１で固定して設けてある。正面板７１は、例えばアクリル板等の透明性を有する材料で形成されている。これにより、水改質器Ｂの形状を外部から良く確認することができる。
【００６３】
なお、水改質器Ｂを外部から見ることができれば、正面板７１は半透明であっても良く、あるいは透明部分または半透明部分を有するものであっても良い。
【００６４】
また正面板７１の代わりに、例えば透視性を有さない開閉式の扉を設け、扉を開いて中の水改質器Ｂを確認できるように構成しても良い。
ただし、上記したように、一目見ただけで水改質器Ｂが外部から確認できるように、透視性を有する材料で正面板７１を製作することが望ましい。
【００６５】
なお、水改質器Ｂに悪戯されるような危険性がなければ、正面板７１をあえて設けないようにすることもできる。そのようにすれば、需要者は水改質器Ｂを直接触って、展示対象である水改質器を吟味することができる。
【００６６】
図２及び図４に示すように、背面板５ｃの下部側からは、水道管（図示省略）に接続できるように給水管８の一端部が導出されている。給水管８は背面板５ｃの後ろ側で二股に分岐しており、一方の給水管である一次給水管８１は上方に延びて、シンク２上部の水道水が出る一次蛇口３ａと接続されている。
【００６７】
また他方の給水管である二次給水管８２は、台部１の下方に設けてある水改質器Ｂに接続されている。そして、水改質器Ｂによって改質された水は、図２及び図４に示すように、背面板５ｃから外へ導出され、上方に延びた二次給水管８２ａを通って、シンク２上部の二次蛇口３ｂに接続されている。つまり、二次蛇口３ｂからは水改質器Ｂで改質された水が出るようになっている。
【００６８】
図１の台部１の下方に示す符号８２１は、二次給水管８２に設けてある量水器（水道メーター）を示している。図２で二次給水管８２に設けてある符号８２２は、開閉バルブを示し、量水器８２１の後ろに位置している。
【００６９】
以上のような構成により、図１で左側の一次蛇口３ａをひねれば、水が改質される前の水道水を飲むことができる。一方、右側の二次蛇口３ｂをひねれば、改質された後のアルカリイオン水を飲むことができる。
【００７０】
また図１に示すように、水改質器Ｂの宣伝効果を高めるため、前面パネル６３のうち、ディスプレー画面６３２の上方の位置等に、宣伝用の文字を入れたシール６３４等を貼ることもできる。
【００７１】
なお、本実施の形態では、水改質器の展示用装置Ａの全体形状を角柱状に形成しているが、その形状に特に限定するものではなく、円柱状（樽状）や多角柱状やその他の形状に形成することもできる。
【００７２】
また本実施の形態では、ディスプレー６１とＤＶＤ再生装置６２は、四方を囲まれた一次キャビネット６内に収容されているが、ディスプレー６１とＤＶＤ再生装置６２を収容することができれば、その形状は特に限定されない。例えば、前面パネル６３を備えていない単なる棚であっても良い。また、ビデオ内蔵型ディスプレーであれば、ディスプレー６１を載置することができる天板があれば良い。
【００７３】
（作  用）
図面を参照して、水改質器の展示用装置Ａの作用を説明する。
まず、水改質器の展示用装置Ａを所要の場所に設置し、背面板５ｃから導出された給水管８に水道管（図示省略）を接続する。なお、特に水道管に限らず、水道の蛇口から延ばしたホースを用いて、水道管と接続しても良い。
【００７４】
ディスプレー６１とＤＶＤ再生装置６２の電源を入れ、販売対象である水改質器Ｂに関連した映像をディスプレー画面６３２に流しておく。
【００７５】
即ち、その映像とは、需要者の水改質器に対する購買意欲を喚起させることができるような内容である。具体的には、アルカリイオン水がいかに健康に良いか、水改質器Ｂの構造・性能、改質された水の分析結果（酸化還元電位、ｐＨ、溶在水素等）、水改質器の展示用装置Ａの説明（改質前後の両方の水を試飲して比較できる等）である。
【００７６】
ディスプレー６１から流れる水改質器Ｂの説明を見て、製品に関心を持った需要者は、右側の二次蛇口３ｂをひねって、改質されたアルカリイオン水を実際に飲むことができる。しかも、左側の二次蛇口３ｂをひねれば、改質前の「水道水」も同時に飲むことができる。
【００７７】
このように、改質する前の原水と改質した後の改質水の両方を試飲してもらうことで、どのように水が良好に改質されたかを直に体験してもらうことができる。
【００７８】
また、水道水と改質水をビーカー等にそれぞれ採り、例えば赤色のリトマス試験紙をそれぞれ浸けて比較試験を行ってみる。そうすれば、水道水では色が変わらないが、改質水では青色に変わり、得られた水がアルカリイオン水であることが目視で即座に確認できる。
【００７９】
以上説明したように、水改質器の展示用装置Ａによれば、改質する前の原水と改質した後の改質水を客観的に簡単に比較することができる。
よって、従来、販売員が口頭で説明したり、パンフレットを配布するだけに過ぎなかった販売方法に比べ、製品が持つ本来の優位性を需要者に十分に認識させることができ、需要者の水改質器に対する購買意欲を喚起させることができる。
【００８０】
また、水改質器Ｂを外部から見ることができるので、外部から見ることができない場合と比べて、実際にその水改質器によって水が改質されていることを需要者に十分に認識させることができる。したがって、水改質器の特長を需要者に十分に理解させ、購買意欲を一層喚起させることができる。
【００８１】
更に、その内部構造が分かるように形成した水改質器Ｂを使用することもできる。具体的には、後述する水改質器Ｂ（図５参照）のケーシング９０とカートリッジ２０（水改質材を除く）を、透明または半透明の合成樹脂で形成すれば、ケーシング９０外部からカートリッジ２０の内部を目視することができる。
【００８２】
これにより、水改質器Ｂに供給される水の量や流速を最も適した状態に調整することができる。即ち、後述する水改質器Ｂ（図５参照）では、カートリッジ２０の内部に充填されたマグネシウム粒の浮遊・遊動状態を目で確認することにより、水改質器Ｂに供給される水の量や流速を最も適した状態に調整することができる。したがって、使用している水改質器Ｂの効果を最大限、有効に発揮させることができる。
【００８３】
そして、例えば水改質器Ｂの内部構造についての説明をディスプレー画面６３２で流しておけば、需要者はその説明を聞きながら、直接目でその現物の内部構造を確認することができる。したがって、需要者は、水がどのようにして改質されるかが理解しやすく、その商品の原理について不安を覚えることなく安心して購入することができる。
【００８４】
また、台部１、水改質器Ｂ、一次蛇口３ａ、二次蛇口３ｂ及びディスプレー６１が同じケース１００に設けられているので、例えば展示即売会会場への運搬と設置、倉庫等への保管やその他の取扱いが容易である。
【００８５】
更に、ディスプレー６１はシンク２の上方に設けてあるため、ディスプレー画面６３２は人の目線の高さ近くにある。したがって、遠くからでも需要者の関心を引きつけやすく、結果的に水改質器Ｂの販売促進が期待できる。
またシンク２を備えていることで、例えば展示即売会会場での設置の際に、水で床を濡らす恐れもない。
【００８６】
＜水改質器Ｂ＞
図５は水改質器Ｂを構成する水改質器本体の一実施の形態を示す分解斜視説明図、
図６は図５に示す水改質器本体の縦断面説明図、
図７は水改質カートリッジの構造を示し、（ａ）は平面視説明図、（ｂ）は横断面説明図、（ｃ）は底面視説明図である。
【００８７】
図１及び図５に示すように、水改質器Ｂは、ほぼ円柱形状に形成された所要数（本実施の形態では二本）の水改質器本体９ａ，９ｂから主に構成されている。各水改質器本体９ａ，９ｂは、同じか大体同じ形状である。
【００８８】
そして、図１に示すように、二次キャビネット７内には左右に橋渡された固定バー７２が固定されている。各水改質器本体９ａ，９ｂは、略Ｕ字状の固定バンド７２１，７２１によって上記した固定バー７２に確実に固定されている。
【００８９】
水改質器本体９ａ，９ｂについて、詳細に説明する。
図５に示すように、水改質器本体９ａ，９ｂは、ステンレススチール製のケーシング９０と、水改質材２５０を除き主に合成樹脂で形成されたカートリッジ２０により主に構成されている。
【００９０】
ケーシング９０は、本体１０、蓋体１６、パッキン１７、締付固定具１８により構成されている。
【００９１】
図５及び図６に示すように、本体１０はほぼ有底円筒形状であり、底部にはやや径大の座部１１が設けてある。本体１０の上部側の開口縁部には、やや径大の取着フランジ１２が設けてある。取着フランジ１２の下面側は、下方へ向け窄まるよう傾斜させてある。取着フランジ１２の上面には、全周にわたり、パッキンを嵌め込むための凹条部１３が設けてある。
【００９２】
ケーシング９０の本体１０下部側には、水導入部を構成する水導入管１４と、水導出部である水導出管１５が、それぞれ壁部を貫通して、本体１０の直径線と重なる位置に設けてある。水導入管１４と水導出管１５のうち、本体１０から外部へ突出した部分には、後述する導水管を接続するための雄ネジ部１４０、１５０が設けてある。
【００９３】
水導入管１４のうち、本体１０内部側（図６参照）には、エルボ管１４１が固着してある。エルボ管１４１のうち、水導入管１４との接続側と逆側の端部は、上方を向いて曲げて設けてある。エルボ管１４１の上方を向いた端部には、雌ネジ部１４２が設けてある。雌ネジ部１４２を有するエルボ管１４１の端部が、カートリッジ２０を接続する部分となる。
【００９４】
本体１０の上部の取着フランジ１２の上面には、蓋体１６が締付固定具１８によって固定される。
蓋体１６は円板状である。蓋体１６の下部側には、上記本体１０の取着フランジ１２とほぼ同様の形状を有する取着フランジ部１６０が、被冠時には対称となる形状に設けてある。また、取着フランジ部１６０の下面側には、上記した取着フランジ１２の凹条部１３と同様の凹条部１６１が設けてある。
【００９５】
取着フランジ１２の上面と蓋体１６の間には、水密のための円環状のパッキン１７が介在させてある。
パッキン１７の上下の面には、各凹条部１３、１６１に嵌る凸条部１７０、１７１（図５では隠れて見えず、図６参照）が全周にわたり設けてある。
蓋体１６は、本体１０の取着フランジ１２との間にパッキン１７を介在させ、締付固定具１８によって、取着フランジ１２に固定されている。
【００９６】
締付固定具１８は、それぞれ円弧状の可動部材１８０、１８１、１８２を有している。可動部材１８０、１８１、１８２は、ヒンジ１８３、１８４で回動可能に連結してある。
【００９７】
可動部材１８０、１８１、１８２の内面側には、取着フランジ１２、１６０の周端部を抑える嵌合溝１８８がそれぞれ設けてある。
両側の可動部材１８１、１８２の先端部には、アングル１８５、１８６がほぼほぼ直角に設けてある。一方側のアングル１８５には、他方側のアングル１８６に係合し、回転させて各アングル１８５，１８６を引き寄せて締め付けるための回し部材１８７が設けてある。
【００９８】
（カートリッジ２０）
図６に示すように、水導入管１４に設けてあるエルボ管１４１端部には、カートリッジ２０が接続されている。
【００９９】
カートリッジ２０は、透明な合成樹脂でつくられた円筒形状の胴筒体２００を有している。胴筒体２００の内部側には、所要間隔で四箇所に区画部２１、２２、２３、２４が設けてある。
【０１００】
各区画部は、それぞれ円板状の区画板２０１と、その上下の面に配された円形の網体２０２により構成されている。区画板２０１には、多数の通水孔２０９がほぼ全面にわたり設けてある。区画板２０１と網体２０２の直径は、胴筒体２００の内径とほぼ同じである。
【０１０１】
各区画部２１、２２、２３、２４は、それぞれ円管状のスペーサ２０３、２０４、２０５、２０６、２０７を介在させて間隔が設定されている。各スペーサ２０３、２０４、２０５、２０６、２０７は透明な合成樹脂でつくられている。
【０１０２】
各区画部２１、２２、２３、２４と各スペーサ２０３、２０４、２０５、２０６、２０７を重ねた高さは、胴筒体２００の高さと同じであり、胴筒体２００に上下端部を合わせて収めてある。
【０１０３】
上下端部に配されているスペーサ２０３、２０７は他のスペーサ２０４、２０５、２０６より高さが低く形成されている。上下側の区画部２１、２４は、胴筒体２００の上下端部寄りに位置させてある。
上記構成により、胴筒体２００の内部には、区画部２１、２２、２３、２４で区画された処理層２５、２６、２７が構成されている。
【０１０４】
胴筒体２００の側部には、上下方向三箇所に、スペーサ２０４、２０５、２０６まで達する円形の出し入れ口２８が設けてある。出し入れ口２８の内周部には雌ネジ部（符号省略）が設けてある。
【０１０５】
出し入れ口２８には、栓体２８０が螺合してある。栓体２８０は中央部にレンチ穴（符号省略）が設けてあり、六角レンチで回すことにより取り付け、取り外しができる。これにより、水改質材２５０の充填、取り出しが容易にできる。
【０１０６】
処理層２５、２６、２７内には、水改質材２５０が収容してある。
最下段の処理層２５には、水改質材２５０として流動性固体である粒状のイオン交換樹脂あるいはマグネシウム粒が充填されている。即ち、図１で左側の水改質器本体９ａの各処理層２５、２６、２７には、粒状のイオン交換樹脂が充填されている。また、図１で右側の水改質器本体９ｂの各処理層２５、２６、２７には、マグネシウム粒が充填されている。
【０１０７】
本実施の形態では、イオン交換樹脂とし、ポーラスポリマービーズを使用しているが、他の素材を使用してもよい。また、活性炭等、他の種類の水改質材２５０を使用してもよい。
【０１０８】
水改質材２５０がイオン交換樹脂の場合、イオン交換樹脂は、処理層２５内に一杯になるよう密に充填されている。なお、イオン交換樹脂は、上部に空間部が形成されるように容量いっぱいではなく、例えば２／３、４／５程度に充填してもよい。
【０１０９】
水改質材２５０がマグネシウム粒の場合、その充填されている量は、処理層２６、２７共に容量の約４／５程度であり、上方に空間部が形成されている。
マグネシウム粒は、直径（粒径）が約４ｍｍの球形状である。マグネシウムは、金属としては比重が軽い（比重：１．７４）ので、マグネシウム粒は、下方から水流による圧力を受けることにより、上方へ浮遊・遊動することができる。
なお、マグネシウム粒の粒径は、上記に限定されるものではないが、通常使用される水流の圧力で浮遊・遊動できる粒径（重量）に設定するのが望ましい。
【０１１０】
胴筒体２００の各上下端部には、有底円筒形状の封鎖体２９、２９ａが被冠されて固着してある。
下部側の封鎖体２９（図７（ｃ）参照）は、中央部にエルボ管１４１に接続する接続管２９０が固着されている。接続管２９０は胴筒体２００内部に通じており、外部側の外周部には、エルボ管１４１の雌ネジ部１４２に螺合できる雄ネジ部２９１が設けてある。
【０１１１】
また、図７（ａ）に示すように、上部側の封鎖体２９ａの中心部を挟んで所要箇所（本実施の形態では二箇所）には、排水部である円形の通水口２９２，２９２が設けてある。なお、通水口２９２は、カートリッジ２０をエルボ管１４１に回して着脱するときのツマミとしての機能も有している。
【０１１２】
図６に示すように、カートリッジ２０がケーシング９０内部に固定される。これにより、カートリッジ２０とケーシング９０内面との間には、通水空間部１００ａが形成される。
【０１１３】
上記のように水改質器本体９ａ，９ｂ（図１参照）は、二次キャビネット７内に固定されている。図１で左側の水改質器本体９ａの水導入管１４は、水道水が送られる二次給水管８２と接続されている。左側の水改質器本体９ａの水導出管１５は、送水管８２３を介して、右側の水改質器本体９ｂの水導入管１４に接続されている。右側の水改質器本体９ｂの水導出管１５は、一端部がシンク２上部の二次蛇口３ｂに接続された二次給水管８２ａの他端部に接続されている。
【０１１４】
水を改質するときの水改質器本体９ａ，９ｂの作用は次の通りである。
（１）被処理水である水道水は二次給水管８２（図１参照）を通り、向かって左側の水改質器本体９ａの水導入管１４から導入される。
（２）水道水は、図６に示す水導入管１４からカートリッジ２０の下部の接続管２９０を通り、カートリッジ２０の内部に入る。
【０１１５】
（３）水道水は、カートリッジ２０内部の各処理層２５、２６、２７を下から上方向へ向けて順次通る。
詳しくは、各処理層２５、２６、２７のイオン交換樹脂２５０によって両性イオン交換を行うと共に物理的吸着を行い、塩素、硝酸塩、硫酸塩等の有害物を除去すると共に多種類のガス成分を吸着する。
【０１１６】
（４）各処理層２５、２６、２７で改質された水は、カートリッジ２０上部の通水口２９２から、カートリッジ２０とケーシング９０との間の通水空間部１００ａを下る。そして、水導出管１５から送水管８２３（図１参照）を通り、向かって右側の水改質器本体９ｂに送られる。
【０１１７】
（５）そして、向かって左側の水改質器本体９ｂと同様な経路を通過して、被処理水はマグネシウム粒と接触する。各処理層２５、２６、２７のマグネシウム粒を水と接触させることで、マグネシウムが水と反応し、水酸化マグネシウムと水素が生成される。これにより、電気分解を利用せずに、電解水製造装置と同等の酸化還元電位やｐＨを有するアルカリイオン水を生成できる。
【０１１８】
（６）被処理水が、各処理層２５、２６、２７を下から上方向へ向け通るとき、区画板のほぼ全面にわたり設けてある通水孔２０９から入る水の水流が十分に強い場合では、流動性固体であるマグネシウム粒を上方へ押し上げて、各処理層２５，２６，２７内で浮遊・遊動させることができる。
これにより、水は水の道をつくることなく、多数のマグネシウム粒個々の表面と触れることができる。したがって、充填されているマグネシウム粒全体を無駄なく利用して効率的に改質される。これにより、マグネシウム粒を各処理層２５，２６，２７内に一杯に充填する場合と比べて少ない量で、より効率的な水の改質ができる。
【０１１９】
更に、カートリッジ２０の胴筒体２００と各スペーサ２０４、２０５、２０６は透明体であるので、各処理層２５、２６、２７内のイオン交換樹脂またはマグネシウム粒を層外へ取り出さないでも状態を視認できる。
例えば、長期の使用で各水改質材２５０に汚れが付着した場合は、各処理層２５、２６、２７に設けてある栓体２８０を取り外して層外部で洗浄したり、新しいものと交換することができる。
また、水改質材２５０の量が減っていた場合は、簡単に補充することもできる。これにより、使用者側での機能回復等のメンテナンスが容易にできる。
【０１２０】
［実施の形態２］
図８は本発明に係る、水改質器を使用した水の自動販売用装置の一実施の形態を示す正面視説明図、
図９は図８に示す水の自動販売用装置の側面視説明図、
図１０は図８のＩＩ−ＩＩ部分に対応する断面を示す概略説明図、
図１１は図８のＩＩＩ−ＩＩＩ部分に対応する断面を示す概略説明図である。
【０１２１】
なお、第１の実施の形態と同一または同等箇所には同一の符号を付して示している。また、第１の実施の形態で示してある箇所と同等箇所については、説明を省略し、主に相異点を説明する。
【０１２２】
また本明細書では、水改質器を使用した水の自動販売用装置を、単に「水の自動販売用装置」と言う場合がある。
【０１２３】
図８に示す水の自動販売用装置Ｃ１は、主に以下の点で第１の実施の形態に係る水改質器の展示用装置Ａ１（図１参照）と相違している。
【０１２４】
（ａ）  水の自動販売装置Ｃ１には、硬貨投入口７３１を備えた硬貨投入器７３（コインタイマーとも称される。図９及び図１０も参照）が設けられている。その硬貨投入口７３１に硬貨を投入すれば、水改質器Ｂで改質された水を給水部（原水供給部及び改質水供給部）である蛇口３ｃから給水することができる。
【０１２５】
（ｂ）  蛇口３ｃの前方には、給水によって水が装置前方に飛び散ることを防止するための開閉式のカバー６０１ａ，６０１ｂが設けられている。
【０１２６】
（ｃ）  シンク２ｂ（図１０参照）の深さを浅くしているため、例えば容量の大きなポリ容器等に水を汲み入れたとしても、ポリ容器を装置本体から取り出しやすくなっている。
【０１２７】
以下、水の自動販売装置Ｃ１の各構成部材について、順を追って詳しく説明する。
【０１２８】
図８に示す水の自動販売装置Ｃ１は、例えば人が沢山集まるようなスーパー等の食料品店など設置される。水の自動販売装置Ｃ１は、図１０に示すように、ケース１００ｂの正面側が円弧状に丸みをつけて形成されている。
なお、水の自動販売装置Ｃ１の大きさは、横幅が７０６ｍｍ、高さが１８２０ｍｍであるが、特にこれに限定されない。
【０１２９】
蛇口３ｃは、正面側ほぼ中央のキャビネット６０内奥に収容されている。キャビネット６０の正面側には、左右両側にスライドする一対の開閉カバー６０１ａ、６０１ｂが設けてある。開閉カバー６０１ａ、６０１ｂは、平面視で円弧状に形成されている。各開閉カバー６０１ａ、６０１ｂには、把手部６０２がそれぞれ設けてある。把手部６０２を掴んで左右反対方向にそれぞれスライドさせることで、開閉カバー６０１ａと開閉カバー６０１ｂの間が広く開口する。
【０１３０】
キャビネット６０外周面の上下両側には、周方向に沿って並設されたガイド溝６０３，６０４が設けてある。開閉カバー６０１ａ、６０１ｂの上端部と下端部は、そのガイド溝６０３，６０４にスライド可能に嵌め入れられている。
【０１３１】
蛇口３ｃからは、水道水と、水改質器Ｂによって改質されたアルカリイオン水が給水される。即ち、蛇口３ｃは、水道水とアルカリイオン水のそれぞれが同じ口部から出る一体型である。本実施の形態では、図８で蛇口３ｃの左端側のコック３１を操作すると水道水が出て、反対の右端側のコック３２を操作するとアルカリイオン水が出るように構成されている。
【０１３２】
なお、図１に示す水改質器の展示用装置Ａと同様に、水道水とアルカリイオン水を別々の蛇口から供給できるように構成することもできる。
【０１３３】
正面視でキャビネット６０内の右上には、硬貨投入口７３１を備えた箱形の硬貨投入器７３（図９及び図１０も参照）が固定して設けてある。硬貨投入口７３１に硬貨を投入することにより、予め定められた量または予め定められた時間当たりの量（例えば１００円で６０秒間、約７リットルの水）の改質水を、蛇口３ｃから給水することができる。
【０１３４】
なお、硬貨だけでなく、紙幣、無料配布等により得た試飲用コイン、あるいはＩＣ等が組み込まれた店のポイントカード等も利用可能に構成することもできる。
【０１３５】
硬貨投入口７３１に硬貨を投入することにより、硬貨が投入されたことを投入検知手段である硬貨投入検知部（図示省略）が検知し、その検知した信号を給水制御部（図示省略）が受けて、予め定められた量または予め定められた時間当たりの量の改質水を蛇口３ｃから給水させる。
【０１３６】
具体的には、図９及び図１１に示すように、水改質器Ｂで改質された後の改質水が送られる二次給水管８２ａに電磁弁８２４が設けてある。そして、上記給水制御部によって電磁弁８２４の開閉が制御され、予め定められた量または予め定められた時間当たりの量の改質された水が、上記二次給水管８２ａを通って蛇口３ｃから給水される。
【０１３７】
なお、硬貨投入器７３、硬貨投入検知部及び給水制御部を含む制御装置類は、公知技術を採用しているので、構造についての詳細な説明は省略する。
【０１３８】
また硬貨投入器７３には、一次停止用のボタン７３２が取り付けてある。このボタン７３２を押すことで、改質水の給水を一次的に停止することができる。これにより、水を無駄に捨てることなく、いくつかの容器に分けて水を汲むことができる。
【０１３９】
蛇口３ｃの下方には、シンク２ｂが設置されている。本実施の形態では、図２に示す水改質器の展示用装置Ａと比較して、シンク２ｂの深さを浅く、平坦に形成している。これにより、容量の大きなポリ容器等に水を汲み入れたとしても、ポリ容器をシンクの底から持ち上げる必要がないので、キャビネット６内から取り出しやすい。符号２０５は排水口を示している。
【０１４０】
（作  用）
本実施の形態では、例えば人が沢山集まるようなスーパー等の食料品店に、水の自動販売用装置Ｃ１を設置した場合を例に挙げ、その作用を説明する。
【０１４１】
図８に示すキャビネット６０の開閉カバー６０１ａ、６０１ｂを開いて、水を汲み入れるための容器（以下、容量の大きなポリ容器を例として説明）をキャビネット６０内に入れる。蛇口３ｃ左端のコック３１を開いて水道水を出し、ポリ容器を洗浄する。次に、蛇口３ｃ左端のコック３１を開き、硬貨投入口７３１に硬貨を入れ、蛇口３ｃから改質水の給水を始める。
【０１４２】
硬貨投入口７３１に硬貨を入れたら、開閉カバー６０１ａ、６０１ｂを閉める。これにより、蛇口３ｃから水が勢い良く出たり、水が容器の口部から跳ね返ったとしても、水が装置前方に飛び散ることはないので、水で服や床を濡らすことはない。
【０１４３】
また本実施の形態では、水改質器の展示用装置Ａ（図１参照）と同様に、水改質器Ｂで改質する前の原水と改質した後の改質水の両方を飲むことができる。したがって、どのように水が良好に改質されたかをその場で直に体験することができる。
【０１４４】
更に本実施の形態では、上記したように、水の提供を無料ではなく、有料としている。
例えば水の提供を無料とした場合、次のような欠点がある。
即ち、スーパー等に設置した本装置前に、順番待ちの人が多数並んでいた場合、先頭の需要者はコップ一杯程度の試飲であれば短時間で遠慮無く行えるが、容量の大きなポリ容器等に水を汲んで持ち帰るようなことは、人の目が気になり憚られる。
【０１４５】
そこで、上記したように一定の代金を払って水を提供するようにすれば、需要者は誰にも遠慮することなく、水をポリ容器等に汲んで自宅に持ち帰りやすい。これにより、持ち帰った水を自宅で家族と一緒にゆっくりと試飲することができるし、ご飯を炊くために使用することもできる。このように、本当に水が改質されたのかを自宅でゆっくりと吟味することができるので、製品が持つ優位性を需要者に十分に認識させることができ、需要者の水改質器Ｂに対する購買意欲の喚起に繋がりやすい。
【０１４６】
また、水改質器Ｂ自体の購入に興味がない需要者であっても、来店すれば誰でも気軽に安全で健康な水を購入することができる。つまり、水に対する関心が集まっている近年、上記したように本装置Ｃをスーパー等に設置すれば、店の集客力アップを図ることができ、結果的には店の売り上げ向上につなげることができる。
【０１４７】
なお、水の自動販売装置Ｃ１において、蛇口３ｃから改質水だけを供給することができるように設計することもできる。その場合、水の自動販売装置Ｃ１とは別の供給手段（冷水器等）から原水である水道水を提供しても良い。
【０１４８】
更に、第１の実施の形態と同様に、水改質器Ｂを外部から見えるように構成することもできる。
【０１４９】
その他の構成及び作用・効果は、既に説明した第１の実施の形態と大体において同じであるため、説明を省略する。
【０１５０】
［実施の形態３］
図１２は本発明に係る水の自動販売装置の他の実施の形態を示す正面視説明図、
図１３は図１２に示す水の自動販売装置の側面視説明図、
図１４は図１２のＩＶ−ＩＶ部分に対応する断面を示す概略説明図である。
【０１５１】
なお、第２の実施の形態と同一または同等箇所には同一の符号を付して示している。また、第２の実施の形態で示してある箇所と同等箇所については、説明を省略し、主に相異点を説明する。
【０１５２】
図８に示す水の自動販売装置Ｃ１と比べて、図１２に示す本実施の形態に係る水の自動販売装置Ｃ２はコンパクトであり、場所をとられない。具体的には、水の自動販売装置Ｃ１が横幅７０６ｍｍ、高さ１８２０ｍｍに対して、本実施の形態に係る水の自動販売装置Ｃ２は横幅が５０４ｍｍ、高さが１３２０ｍｍである。
【０１５３】
即ち、図１２に示す水の自動販売用装置Ｃ２では、ディスプレー６１を設けるための一次キャビネットを排除することにより、ケース１００ｃの高さを低くしている。更に図１４に示すように、量水器８２１等の機器類と配管を位置を変えて二次キャビネット７内にコンパクトに収容することにより、ケース１００ｃの横幅を短くしている。
【０１５４】
また、ケース１００ｃの上面部（周縁部分を除く）は平坦になっているため、必要に応じてディスプレーやＤＶＤ再生装置等をその上に設置することもできる。
【０１５５】
なお、水の自動販売用装置Ｃ２の大きさは、上記したものに特に限定するものではない。
その他の構成及び作用・効果は、既に説明した第２の実施の形態と大体において同じであるため、説明を省略する。
【０１５６】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【０１５７】
更に、特許請求の範囲には、請求項記載の内容の理解を助けるため、図面において使用した符号を括弧を用いて記載しているが、特許請求の範囲を図面記載のものに限定するものではない。
【０１５８】
【発明の効果】
本発明は上記構成を備え、次の効果を有する。
（ａ）本発明によれば、画像表示装置で水改質器に関連した画像を表示し、需要者に展示対象である水改質器への関心を持たせることができる。そして、水改質器に関心を持った需要者に、水改質器で改質する前の原水と改質した後の改質水の両方を試飲してもらうことで、どのように水が良好に改質されたかを直に体験してもらうことができる。
また、例えば改質水がアルカリイオン水であれば、リトマス試験紙や酸化還元電位測定器等を用いることで、改質する前の原水と改質した後の改質水を目視で客観的に比較することもできる。
このように本発明によれば、改質する前の原水と改質した後の改質水を客観的に簡単に比較できるようにして、需要者の水改質器に対する購買意欲を喚起させることができる。
【０１５９】
（ｂ）外部から見ることができるように水改質器が設けられているものは、水改質器を外部から見ることができない場合と比べて、実際にその水改質器によって水が改質されていることを需要者に十分に認識させることができる。したがって、水改質器の特長を需要者に十分に理解させ、購買意欲を一層喚起させることができる。
【０１６０】
（ｃ）また原水供給部、改質水供給部及び画像表示装置、あるいは台部、水改質器、原水供給部、改質水供給部及び画像表示装置がケースに設けられているので、例えば展示即売会会場への運搬と設置、倉庫等への保管やその他の取扱いが容易である。
【０１６１】
（ｄ）画像表示装置がシンクの上方に設けてあるものは、画像表示装置を目線の高さ近くに設けることで、遠くからでも需要者の関心を引きつけやすく、結果的に水改質器の販売促進が期待できる。またシンクを備えていることで、例えば展示即売会会場での設置の際に、水で床を濡らす恐れもない。
【０１６２】
（ｅ）水改質器が、水改質材としてマグネシウムを備えているものでは、電気分解を利用せずに、アルカリイオン水を簡単に生成して需要者に提供することができる。
【０１６３】
（ｆ）その内部構造の一部または全部を外部から目視できるように水改質器が構成されているものでは、水改質器内に流れる水の量や流速を目視で確認できるようにすれば、その水改質器に供給される水の量や流速を最も適した状態に調整することができる。したがって、使用している水改質器の効果を最大限、有効に発揮させることができる。
また画像表示装置が設けてあるものでは、例えば水改質器の内部構造についての説明を画像表示装置で流しておけば、需要者はその説明を聞きながら、直接目でその現物の内部構造を確認することができる。したがって、需要者は、水がどのようにして改質されるかが理解しやすく、その商品の原理について不安を覚えることなく、安心して購入しやすい。
【０１６４】
（ｇ）本発明に係る水改質器を使用した水の自動販売用装置は、解放用投入物を投入する投入口を備えており、その投入口に解放用投入物を投入することにより、予め定められた量または予め定められた時間当たりの量の改質水を改質水供給部から給水することができる。
このような構成により、本発明に係る水の自動販売装置を、例えば人が沢山集まるようなスーパー等の食料品店に設置した場合、以下のような効果が得られる。
即ち、例えば設置した本装置前に、順番待ちの人が多数並んでいた場合、先頭の需要者はコップ一杯程度の試飲であらば短時間で遠慮無く行えるが、容量の大きなポリ容器等に水を汲んで持ち帰るようなことは、人の目が気になり憚られる。
そこで、上記したように一定の代金を払ったり、無料配布等により得た試飲用コインを投入して水を提供するようにすれば、需要者は誰にも遠慮することなく、水をポリ容器等に汲んで自宅に持ち帰りやすい。これにより、持ち帰った水を自宅で家族と一緒にゆっくりと試飲することができるし、ご飯を炊くために使用することもできる。このように、本当に水が改質されたのかを自宅でゆっくりと吟味することができるので、製品が持つ優位性を需要者に十分に認識させることができ、需要者の水改質器に対する購買意欲の喚起に繋がりやすい。
【０１６５】
（ｈ）更に本発明に係る水改質器を使用した水の自動販売用装置によれば、無人で改質水を自動販売することができる。よって、水改質器自体の購入に興味がない需要者であっても、改質水を自由に購入することができる。したがって、例えば人が沢山集まるようなスーパー等の食料品店に本発明を設置することにより、来店すれば誰でも気軽に安全で健康な水を購入することができる。これにより、安全で健康な水に関心がある客を取り込んで店の集客力アップを図ることができ、結果的には店の売り上げ向上につなげることができる。
【０１６６】
（ｉ）給水により水が装置前方に飛び散ることを防止するための開閉式のカバーを備えているものは、水を勢い良く給水させたとしても、水が装置前方に飛び散ることはないので、服や床を水で濡らすことを防止できる。よって、容量の大きなポリ容器にも、短時間で水を入れることができるという利点がある。
【０１６７】
【図面の簡単な説明】
【図１】本発明に係る水の自動販売装置の一実施の形態を示す正面視説明図。
【図２】図１のＩ−Ｉ部分に対応する断面を示す概略説明図。
【図３】一次キャビネットの前面パネルを取り外して、ディスプレーとＤＶＤ再生装置が見えるようにした水の自動販売装置の正面視説明図。
【図４】水の自動販売装置の背面視説明図。
【図５】水改質器Ｂを構成する水改質器本体の一実施の形態を示す分解斜視説明図。
【図６】図５に示す水改質器本体の縦断面説明図。
【図７】水改質カートリッジの構造を示し、（ａ）は平面視説明図、（ｂ）は横断面説明図、（ｃ）は底面視説明図。
【図８】本発明に係る、水改質器を使用した水の自動販売用装置の一実施の形態を示す正面視説明図。
【図９】図８に示す水の自動販売用装置の側面視説明図。
【図１０】図８のＩＩ−ＩＩ部分に対応する断面を示す概略説明図。
【図１１】図８のＩＩＩ−ＩＩＩ部分に対応する断面を示す概略説明図。
【図１２】本発明に係る水の自動販売装置の他の実施の形態を示す正面視説明図。
【図１３】図１２に示す水の自動販売装置の側面視説明図。
【図１４】図１２のＩＶ−ＩＶ部分に対応する断面を示す概略説明図。
【符号の説明】
Ａ  展示用装置
Ｂ  水改質器（アルカリイオン水生成器）
１  台部
２  シンク
３ａ，３ｂ  各蛇口
４  ステッカー
５ａ  右側面板
５ｂ  左側面板
５ｃ  背面板
６  一次キャビネット
７  二次キャビネット
８  給水管
９ａ，９ｂ  水改質器本体
１０  本体
１１  座部
１２  取着フランジ
１３  凹条部
１４  水導入管
１５  水導出管
１６  蓋体
１７  パッキン
１８  締付固定具
２０  カートリッジ
２１  区画部
２５  処理層
２６  処理層
２８  出し入れ口
２９  封鎖体
２９ａ  封鎖体
５１  電源コード
６１  ディスプレー
６２  再生装置
６３  前面パネル
６４  開口部
７１  正面板
７２  固定バー
８１  一次給水管
８２，  ８２ａ  二次給水管
９０  ケーシング
１００  ケース
１００ａ  通水空間部
１４０  雄ネジ部
１４１  エルボ管
１４２  雌ネジ部
１６０  取着フランジ部
１６１  凹条部
１７０  凸条部
１８０  可動部材
１８１  可動部材
１８３  ヒンジ
１８５，１８６  アングル
１８７  回し部材
１８８  嵌合溝
２００  胴筒体
２０１  区画板
２０２  網体
２０３  スペーサ
２０４  スペーサ
２０９  通水孔
２５０  イオン交換樹脂
２５０  水改質材
２８０  栓体
２９０  接続管
２９１  雄ネジ部
２９２  通水口
２９２  通水口
６１１  スピーカー
６３０  窓
６３１  締付ネジ
６３２  ディスプレー画面
６３３  孔
６３４  シール
７２１  固定バンド
８２１  量水器
８２２  開閉バルブ
８２３  送水管
Ｃ１，Ｃ２  水改質器を使用した水の自動販売用装置
２ｂ  シンク
３ｃ  蛇口
３１  コック
３２  コック
６０  キャビネット
６１  ディスプレー
７３  硬貨投入器
８２ａ  二次給水管
１００ｂ  ケース
２０５  排水口
６０１ａ，６０１ｂ  開閉カバー
６０２  把手部
６０３，６０４  ガイド溝
７３１  硬貨投入口
７３２  ボタン
８２４  電磁弁
【図１】
2004334828.tif 000004
【図２】
2004334828.tif 000005
【図３】
2004334828.tif 000006
【図４】
2004334828.tif 000007
【図５】
2004334828.tif 000008
【図６】
2004334828.tif 000009
【図７】
2004334828.tif 000010
【図８】
2004334828.tif 000011
【図９】
2004334828.tif 000012
【図１０】
2004334828.tif 000013
【図１１】
2004334828.tif 000014
【図１２】
2004334828.tif 000015
【図１３】
2004334828.tif 000016
【図１４】
2004334828.tif 000017